(57)【要約】【課題】  立食パーティー等において、料理皿やコップ等をテーブルに一旦置くことなく飲食ができ、又円滑且つ迅速に名刺交換も行うことができる多機能皿を提供する。【解決手段】  多機能皿の本体である板状部材１１に、料理や皿を取り置く料理用載置部１２及び１３と、箸・スプーン・フォーク等の箸類を置く箸類載置部１４と、コップやグラスのグラス類の下部を落とし込んで保持するグラス保持用穴１５と、名刺を置く名刺用載置部１６と、指通し穴１７とを構成してなり、前記指通し穴１７に指を通すことにより片手で把持でき、又前記名刺用載置部１６に名刺を載置ことにより円滑な名刺交換を行える多機能皿。【選択図】図１
0003171413.tif 000002
【実用新案登録請求の範囲】
【請求項１】
名刺を置くための名刺用載置部と料理や皿を取り置くための料理用載置部を有することを特徴とする多機能皿。
【請求項２】
名刺を置くための名刺用載置部と料理や皿を取り置くための料理用載置部と箸類を置くための箸類載置部を有することを特徴とする多機能皿。
【請求項３】
グラス類を保持するためのグラス保持用穴を有することを特徴とする請求項１又は２に記載の多機能皿。
【請求項４】
本体を片手で把持するための指通し穴を有することを特徴とする請求項１から３のいずれかに記載の多機能皿。
【請求項５】
本体の底部に折り畳み自在な脚部を取り付けたことを特徴とする請求項１から４のいずれかに記載の多機能皿。
【考案の詳細な説明】
【技術分野】
【０００１】
本考案は、立食パーティー等において、料理皿やグラス等をテーブルに一旦置くことなく飲食ができ、又円滑且つ迅速に名刺交換等も行うことができる多機能皿に関するものである。
【背景技術】
【０００２】
従来より、立食パーティーでは、飲料の入ったコップやグラスを片手に持って行動することが多く、好みの料理を皿に取る場合や、その料理を食べる際には、コップやグラスを一旦テーブルの上に置かなければならないが、このようなパーティーではテーブルの数や空きスペースに限りがあり、グラス等を置くことができない場合が生じていた。
また、仮に自分のコップやグラスをテーブルの上に置くことができたとしても、談笑中や、他の配膳テーブルに料理を取りに行っている間に他人のグラス等が周りに置かれていることも多々あり、自分の使用していたものが判別できなくなった結果、新しいコップやグラスを探して使用することになる。
【０００３】
また、特許文献１及び２に記載されているように、立食時に料理皿やグラスや食器類をまとめて載置することができる皿もあった。
【先行技術文献】
【特許文献】
【０００４】
【特許文献１】特開平７−３２７８０５号公報
【特許文献２】特開２００２−４３０号公報
【考案の概要】
【考案が解決しようとする課題】
【０００５】
このように、立食パーティー等における立ったままでの飲食では、コップやグラス又は食べかけの料理が残っている皿を置くスペースを探しあてる困難を伴う場合があると共に、スペースを探し当てたとしても、置いたコップやグラス又は皿から目を離している間に自分が使用していたものが判別し難くなる場合があるという課題があった。
【０００６】
また、このように飲食の途中で使用されなくなったコップ、グラス、皿、箸・スプーン・フォーク等の食器が放置されることにより、テーブル上のスペースがより一層狭くなったり、テーブル上の景観が損なわれるという課題もあった。
【０００７】
更に、前記特許文献１及び２記載の発明では、立食時に料理皿やコップや食器類をまとめて載置することができるものの、立食パーティーで頻繁に行われる名刺交換において、自己の名刺を取り出し、又相手から名刺を受取る際に、これらの皿をテーブル上に置かなければならず、結局のところ、テーブル上で空いたスペースを探す必要があるという課題があった。
【課題を解決するための手段】
【０００８】
本考案は、多機能皿であって、名刺を置くための名刺用載置部及び料理や皿を取り置くための料理用載置部を有することを特徴とする。
【０００９】
本考案は、多機能皿であって、前記名刺用載置部、前記料理用載置部及び箸、スプーン、フォーク等の箸類を置くための箸類載置部を有することを特徴とする。
【００１０】
本考案は、多機能皿であって、前記名刺用載置部、前記料理用載置部及び前記箸類載置部やコップやグラス等のグラス類を保持するためのグラス保持用穴を有することを特徴とする。
【００１１】
本考案は、多機能皿であって、前記名刺用載置部、前記料理用載置部及び、前記箸類載置部や前記グラス類を保持するためのグラス保持用穴あるいは多機能皿を片手で把持するための指通し穴を有することを特徴とする。
【００１２】
本考案は、多機能皿であって、前記名刺用載置部、前記料理用載置部及び、前記箸類を置くための箸類載置部や前記グラス保持用穴や前記指通し穴あるいは多機能皿の底部に折り畳み自在な脚部を取り付けたことを特徴とする。
【考案の効果】
【００１３】
請求項１に記載の考案によれば、立食パーティー等で頻繁に行われる名刺交換の際に、その都度、名刺入れを取り出し、相手を待たせるといった不都合を生じることなくよりスムーズに名刺交換を行い、名刺交換の際に料理皿をテーブルに置くという手間が省け、より親密な談笑を行い、充実した交流を図ることができる。
【００１４】
また、請求項２乃至５に記載の考案によれば、名刺交換の際に料理皿やコップやグラスをテーブルに置くという煩雑さを回避することができるのみならず、料理や料理皿、コップやグラス、箸・スプーン・フォーク等の食器類、名刺をまとめて一体的に載置できるため、立食パーティー等で料理皿やコップやグラスを一時的に置くスペースを探さなければならない事態が生じることを防ぐと共に、飲食の途中で使用されなくなった料理皿やコップやグラスや食器類が減少することにより、テーブル上の景観を損なうこともなくなる。
また、必要に応じて脚部を使用して、コップやグラスを保持したままテーブルの上に置くこともできる。
【図面の簡単な説明】
【００１５】
【図１】本考案の一実施形態の多機能皿の平面図
【図２】本考案の一実施形態の多機能皿の平面図
【図３】本考案の一実施形態の多機能皿の使用状態を示す説明図
【図４】本考案の一実施形態の多機能皿の使用状態を示す説明図
【考案を実施するための形態】
【００１６】
本考案の実施形態を図１乃至図４について説明する。
図１に示した実施形態１の多機能皿１は、多機能皿の本体である長方形の板状部材１１に、料理や皿を取り置く料理用載置部１２及び１３と、箸・スプーン・フォーク等の箸類を置く箸類載置部１４と、コップやグラス等のグラス類の下部を落とし込んで保持するグラス保持用穴１５と、名刺を置く名刺用載置部１６と、多機能皿１を片手で把持するための指通し穴１７とを設けて構成している。
【００１７】
上記の構成により、多機能皿１は図３に示すように、立食パーティー等において料理５９や箸５２のような食器類やグラス５１をまとめて載置することが可能となり、又多機能皿１の裏側から指を前記指通し穴１７に貫通させることにより、多機能皿１を片手で把持することが可能となる。
【００１８】
このように、多機能皿１を片手で把持することができるため、使用者は、立食時に料理皿やグラスを置くスペースを探す必要がなくなり、又名刺用載置部１６の活用により自己の使用する料理皿やグラス等を他人のものと取り違えることがなくなる。
【００１９】
このように新しい料理皿やグラス等を用意し、使用する機会がなくなるため、飲食途中にも拘わらずテーブル上に放置される料理皿やグラス等の減少に繋がり、これらが煩雑に散見しテーブル上の見栄えが悪くなることがなくなる。また皿やグラス等の回収作業を減らせるため、その作業を他のサービスに振り分けることができる。
【００２０】
更に、前記名刺用載置部１６に予め自己の名刺５３を置いておくことにより、名刺交換の都度背広等から名刺入れを出し入れする手間がなくなり、名刺交換の際に自分の名刺５３を速やかに相手に渡し、円滑な名刺交換を行うことができる。また、立食パーティー等の参加者であって、これまで交流のなかった者の目にも自己の名刺５３が自然と触れることとなり、より一層充実した人脈拡大を図り、社交的な交流を行う機会が増えることとなる。更に、名刺交換の必要のない場合には、前記名刺用載置部１６は、煙草やライター等の喫煙用具を載置するものとして利用することも可能である。
【００２１】
尚、多機能皿１を構成する板状部材１１の形状は長方形である必要はなく、例えば、図２に示すように楕円形とすることも可能である。また、料理用載置部１２及び１３、箸類載置部１４並びに名刺用載置部１６は、必ずしも凹状である必要はなく、例えば、着色や板状部材状に多少の凸部を設けて区域を明確にしたものとすることも可能である。
更に、前記各載置部１２、１３、１４及び１６、並びに前記グラス保持用穴１５及び指通し穴１７は、前記板状部材１１上に配置されていれば足り、これらの載置部及びグラス保持用穴の位置関係は適宜変更が可能である。
【００２２】
図２に示した実施形態２の多機能皿２は、多機能皿の本体である楕円形の板状部材２１に、料理や皿を取り置く料理用載置部２２と、箸・スプーン・フォーク等の箸類を置く箸類載置部２３と、グラス類の下部を落とし込んで保持するグラス保持用穴２４と、名刺を置く名刺用載置部２５及び２６と、前記多機能皿２を片手で把持するための指通し穴２７とを設けて構成している。
【００２３】
これらの内、料理用載置部２２は前記料理用載置部１２及び１３と箸類載置部２３は前記箸類載置部１４と、グラス保持用穴２４は前記グラス保持用穴１５と、又指通し穴２７は前記指通し穴１７と、それぞれ同様の効果・作用を有するので説明を省略し、ここでは、名刺用載置部２５及び２６について説明する。
【００２４】
図示のように、前記板状部材２１に２個の名刺用載置部２５及び２６を設けてあるため、前記名刺用載置部２５又は２６の一方に予め自己の名刺を載置しておき、他の名刺用載置部には相手方から受け取った名刺を載置することができる。そして、名刺交換の際に自分の名刺を速やかに相手に渡すことが可能となると共に、複数の相手と同時に名刺交換をする場合であっても、受け取った名刺をその都度、名刺用載置部に置き、スムーズな名刺交換が可能となる。
【００２５】
尚、名刺交換の必要のない場合においては、前記名刺用載置部２５又は２６は、煙草やライター等の喫煙用具を載置するものとして利用することも可能である。
【００２６】
図４に示すものは、前記実施形態１の多機能皿１の底部の四隅に、張番（図示せず）によって折り畳み自在な脚部６１を取り付けたものである。この脚部６１は、多機能皿１を持ち運ぶときは折り畳んで底面に収納しておく。多機能皿１をテーブルに置くときは、脚部６１を図４のように開いてテーブル上に置く。
これによって、グラス５１がテーブルの表面にあたらないから、グラス５１と多機能皿１を別々にテーブル上に置かずに、グラス５１を多機能皿１に保持したままでテーブル上に置くことができるのである。
【符号の説明】
【００２７】
１  多機能皿
２  多機能皿
１１  板状部材（多機能皿の本体）
１２  料理用載置部
１３  料理用載置部
１４  箸類載置部
１５  グラス保持用穴
１６  名刺用載置部
１７  指通し穴
２１  板状部材（多機能皿の本体）
２２  料理用載置部
２３  箸類載置部
２４  グラス保持用穴
２５  名刺用載置部
２６  名刺用載置部
２７  指通し穴
５１  グラス
５２  箸
５３  名刺
６１  脚部
【図１】
0003171413.tif 000003
【図２】
0003171413.tif 000004
【図３】
0003171413.tif 000005
【図４】
0003171413.tif 000006